(57)【要約】【課題】化学療法を受けるために来院した治験者（または患者）に対して待ち時間を少なくし、さらに症例報告書（ＣＲＦ）の信頼性を向上させる医療支援システムを提供する。【解決手段】このシステムは、サーバと端末がネットワークを介して相互通信可能な医療支援システムであって、患者の情報を保存する保存部と、サーバと端末の間で患者情報を送受信する通信部と、患者の状態を入力する入力部と、入力部による入力を制限するための認証部と、保存部における患者情報と、患者の状態に基づいて患者のランクを仮判定する選択部と、前記入力手段による前記ランクの確定が入力されたことに応じて、患者の状態とランクを含むデータを書き換えできないように生成する生成部と、を有する。【選択図】図１
2015170159.tif 000002
【特許請求の範囲】
【請求項１】
サーバと端末がネットワークを介して相互通信可能な医療支援システムであって、
患者の情報を保存する保存部と、
前記サーバと前記端末の間で前記患者の情報を送受信する通信部と、
前記患者の状態を入力する入力部と、
前記入力手段による入力を制限するための認証部と、
前記保存部における前記患者の情報と、前記患者の状態に基づいて前記患者のランクを仮判定する選択部と、
前記入力手段による前記ランクの確定が入力されたことに応じて、前記患者の状態と前記ランクを含むデータを書き換えできないように生成する生成部と、
を有する
ことを特徴とする医療支援システム。
【請求項２】
サーバと端末がネットワークを介して相互通信可能な医療支援システムの制御方法であって、
患者の情報を保存する保存工程と、
前記サーバと前記端末の間で前記患者の情報を送受信する通信工程と、
前記患者の状態を入力する入力工程と、
前記入力工程における入力を制限するための認証工程と、
前記保存された患者の情報と、前記患者の状態に基づいて前記患者のランクを仮判定する選択工程と、
前記入力工程における前記ランクの確定が入力されたことに応じて、前記患者の状態と前記ランクを含むデータを書き換えできないように生成する生成工程と、
を有する
ことを特徴とする制御方法。
【発明の詳細な説明】
【技術分野】
【０００１】
本発明は、医療支援システムおよびその方法に関する。特に、治験（臨床試験）の化学療法における医療支援システムおよびその方法に関する。
【背景技術】
【０００２】
従来、治験などで化学療法を行う際、医師が当日来院した患者（治験者）を問診などで、化学療法を実施するか否かを判断していた。患者の人数に対して医師の人数は限られており、患者一人ひとりを判断するために多くの時間が掛かっていた。また、治験における症例報告書（ＣＲＦ）については、医師が記入したカルテを基に製薬会社の担当者などが作成していることが一般的である。このことから、近年では、ＩＣＴを活用して時間を短縮したり、ＣＲＦの信頼性を高めるためのシステムが提案されている。
【０００３】
特許文献１には、ＩＴを利用して患者の個人情報を保護しながら「３時間待ちの３分診療」を解消して、患者と医療従事者の負担を軽減するシステムが開示されている。また、特許文献２には、紙媒体のカルテをＯＣＲで文字認識してＰＤＦに変換することで情報漏えいを防止するセキュリティを有する治験の電子カルテシステムが開示されている。
【先行技術文献】
【特許文献】
【０００４】
【特許文献１】特許第４５４９３６１号公報
【特許文献２】特開第２０１１−１０７８４４号公報
【発明の概要】
【発明が解決しようとする課題】
【０００５】
しかしながら、特許文献１のシステムを治験に適用しても、患者一人ひとりを医師が直接診て判断しなければならないので、患者が来院してから化学療法を受けるまでの時間を短縮することが難しい。また、特許文献２では、紙媒体のカルテをＯＣＲで文字認識してＰＤＦに変換する方法を用いているが、そもそも紙媒体のカルテを改ざんされる恐れがある。また、ＰＤＦからＣＲＦを作成する際に内容が改ざんされる恐れもある。
【０００６】
本発明は、このような状況を鑑みてなされたものであり、化学療法を受けるために来院した治験者（または患者）に対して待ち時間を少なくし、さらに症例報告書（ＣＲＦ）の信頼性を向上させる医療支援システムを提供することを目的とする。
【課題を解決するための手段】
【０００７】
上記課題を解決するために、本発明は、サーバと端末がネットワークを介して相互通信可能な医療支援システムであって、患者の情報を保存する保存部と、前記サーバと前記端末の間で前記患者の情報を送受信する通信部と、前記患者の状態を入力する入力部と、前記入力手段による入力を制限するための認証部と、前記保存部における前記患者の情報と、前記患者の状態に基づいて前記患者のランクを仮判定する選択部と、前記入力手段による前記ランクの確定が入力されたことに応じて、前記患者の状態と前記ランクを含むデータを書き換えできないように生成する生成部と、を有することを特徴とする。
【発明の効果】
【０００８】
本発明によれば、化学療法を受けるために来院した治験者（または患者）に対して待ち時間を少なくし、さらに症例報告書（ＣＲＦ）の信頼性を向上させる医療支援システムを提供することができる。また、本発明により、医師の負担軽減を図ることができる。
【図面の簡単な説明】
【０００９】
【図１】本発明の一実施形態に係る医療支援システムの全体を示す図である。
【図２】本発明の一実施形態に係る医療支援システムのブロック図である。
【図３】患者の来院から化学療法開始までのフローの比較を示す図である。
【図４】再検査における詳細なフローを示す図である。
【図５】ＳＧＡ予測に基づく仮判定のフローを示す図である。
【図６】携帯機器に表示する画面の一例を示す図である。
【図７】携帯機器に表示する画面の一例を示す図である。
【図８】医師が入力するＣＲＦの一例を示す図である。
【発明を実施するための形態】
【００１０】
本発明の医療支援システムの一実施形態に係るシステムについて、図面を参照して説明する。尚、以下に示す実施例は本発明の医療支援システムにおける好適な具体例であり、施術的に好ましい種々の限定を付している場合もあるが、本発明の技術範囲は、特に本発明を限定する記載が無い限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。従って、以下に示す実施形態の記載をもって、特許請求の範囲に記載された発明の内容を限定するものではない。
【００１１】
まず、図１を参照して、本発明の一実施形態に係る医療支援システムについて説明する。医療支援システム１は、サーバ３と、院外システム４と、無線ネットワークルーター５と、携帯機器６と、を含み、それぞれネットワーク２を介して双方向に相互通信可能に接続されている。サーバ３、院外システム４、無線ネットワークルーター５は、それぞれネットワーク２と有線または無線ＬＡＮ（Ｌｏｃａｌ  Ａｒｅａ  Ｎｅｔｗｏｒｋ）などで接続されている。サーバ３は、病院内の情報を全て収集し、管理するサーバであり、例えば、患者の個人情報や治療情報をなどが関連付けされて管理されている。院外システムは、例えば、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）や院外の治験管理システムなどのシステムであってよい。また、携帯機器６は、例えば、タブレット型端末などの携帯端末であってよく、スマートフォンなどの携帯端末であってよい。そして、携帯機器６は、無線ネットワークルーター５と無線ＬＡＮで接続され、ネットワーク２を介してサーバ３や院外システム４と相互にやり取りをすることができる。
【００１２】
携帯機器６は、管理グループ６１と、専門グループ６２と、医師（Ｄｒ）グループ６３と、専門看護師（ｓｐｅｃｉａｌ  ｔａｌｅｎｔｅｄ  ｎｕｒｓｅ、以下単にｓＮｓとする）グループ６４のグループに分かれて管理されている。ここで、本実施形態では、ｓＮｓは、看護師の中でも特に専門知識の高い熟練した看護師であるとする。管理グループ６１は、料金計算や次回の予約などを管理するスタッフが利用する携帯機器のグループである。専門グループ６２は、ＤｒやｓＮｓ以外の薬剤師などの専門スタッフが利用する携帯機器のグループである。Ｄｒグループは、医師スタッフが利用する携帯機器のグループである。ｓＮｓグループは、専門看護師スタッフが利用する携帯機器のグループである。各携帯機器グループでは、それぞれ入力が制限されており、不正にデータを改ざんすることができない設定となっている。
【００１３】
図２は、サーバ３および携帯機器６のブロック図である。まず、携帯機器６は、制御部６０１と、入力部６０２と、表示部６０３と、通信部６０４と、認証部６０５とを含む。制御部６０１は、携帯機器６の全体を制御する。入力部６０２は、ユーザが入力するユニットであり、タブレット型端末である場合、表示部６０３と一体となってもよく、表示部６０３と別に備えてもよい。表示部６０３は、電子カルテや治験に関する事項を表示させる。通信部６０４は、無線ネットワークルーター５を介してネットワーク２に接続し、院外システム４やサーバ３から情報をやり取りする。認証部６０５は、指紋や静脈などの生体認証を行うことで、入力部６０２による入力を制限する。なお、携帯機器６の構成は、管理グループ６１、専門グループ６２、Ｄｒグループ６３、ｓＮｓグループ６４のそれぞれの携帯機器で同じ構成であり、認証部６０５により入力部６０２による入力が制限されたり、表示部６０３で表示する内容が変更される。
【００１４】
例えば、管理グループ６１の携帯機器を利用するスタッフは、電子カルテにおける必要事項のみの閲覧が可能で、例えば、確認のサインのみの入力などに制限される。専門グループ６２の携帯機器を利用するスタッフも該当項目のみが閲覧可能であり、入力も制限される。Ｄｒグループ６３の携帯機器を利用するスタッフは、全ての電子カルテなどを閲覧可能のであり、入力の制限もない。ｓＮｓグループ６４の携帯機器を利用するスタッフは、治験に係る項目の閲覧および入力が可能である。本実施形態では、上記のように設定しているが、これに限定することなく、必要に応じて制限する内容（設定）を変更してよい。
【００１５】
サーバ３は、記憶部３１と、制御部３２と、通信部３３と、選択部３４とを含む。制御部３２は、サーバ３の全体を制御する。通信部３３は、ネットワーク２と接続し、院外システムや携帯機器６から情報をやり取りする。選択部３４は、患者情報などからＳＧＡ（ｓｕｂｊｅｃｔｉｖｅ  ｇｌｏｂａｌ  ａｓｓｅｓｓｍｅｎｔ：主観的包括的アセスメント）に基づく仮判定を行い、Ａ、Ｂ、Ｃのランクのいずれかを選択する。本実施形態におけるランクは、Ａランクが化学療法段階であり、Ｂランクが再検査段階であり、Ｃランクが帰宅段階である３段階のランクである。また、本実施形態では、選択部３４は、サーバ３に設けられるが、携帯機器６に設けられてもよい。なお、ランクは、Ａ、Ｂ、Ｃの３ランクに限定することなく、必要に応じてランクを分けてもよい。記憶部３１は、患者情報領域３１１と、化学療法情報領域３１２と、経過情報領域３１３と、Ｐａｃｓ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）領域３１４と、画像検査領域３１５と、治療記録領域３１６の領域を含む。各領域は、患者情報領域３１１に記億されている患者と関連付けされて保存されている。
【００１６】
患者情報領域３１１は、患者の個人情報などの患者の基本情報が含まれる領域である。化学療法情報領域３１２は、例えば、治験においてどういった内容の化学療法がどれだけ進行しているかなどの化学療法に関する情報が含まれる領域である。経過情報領域３１３は、化学療法における経過を示す情報であり、化学療法情報領域３１２と関連付けされている。Ｐａｃｓ領域３１４は、医療用画像が含まれる領域であり、各画像は、患者情報領域３１１と関連付けされている。画像検査領域３１５は、Ｐａｃｓ領域３１４に含まれる医療用画像から診断される結果が患者情報と関連付けされて記憶されている。治療記録領域３１６は、化学療法だけでなく、患者が通院して治療した記録の全てが患者情報と関連付けされて含まれる領域である。
【００１７】
図３は、化学療法における患者の来院から化学療法開始までのフローを示し、図３（Ａ）は、一般的な化学療法開始までのフローであり、図３（Ｂ）は、本実施形態に係る化学療法開始までのフローである。まず、図３（Ａ）に示すように、一般的に、患者は、例えば、予約した日時に病院などに来院する。このとき、患者一人ひとりに対して問診などして判断するため、予約したにも関わらず、医師の人数が限られることから、予約した日時から順番のために大幅に待つ時間がある（ステップＳ１００）。そして、順番に医師が患者の状態などを問診などで判断し（ステップＳ１０１）、本実施形態では、Ａ、Ｂ、Ｃの３段階のランクに分類する。
【００１８】
Ａランクに分類された患者は、そのまま化学療法が開始される（ステップＳ１０４）。Ｂランクに分類された患者は、化学療法可能か否かをさらに詳細に判断するために再検査が行われる（ステップＳ１０２）。Ｃランクに分類された患者は、化学療法が不可ということで、そのまま帰宅となる（ステップＳ１０５）。Ｂランクに分類された患者は、再検査の結果から医師が再度判断し（ステップＳ１０３）、化学療法を行う（Ａランク）か、帰宅する（Ｃランク）かが判断される。
【００１９】
このように、患者は、最初に医師の問診を受けるまでに相当の時間を待つことになり、さらに、相当の時間を待ったにも関わらず、帰宅せざるを得ない状態である判断がなされる（Ｃランク）場合もある。また、Ｂランクに分類されると、患者は、さらに再検査で医師に化学療法を受けるか帰宅かを判断されるまでにさらに相当の時間を待たなければならない。以上から、一般的に化学療法開始までは、時間が掛かっており、患者の負担が大きかった。また、医師も来院した患者の全てのランクを判断しなければならず、医師の負担も大きかった。
【００２０】
一方、本実施形態に係るフローでは、図３（Ｂ）を参照して、まず、患者が来院したら（ステップＳ２００）、専門看護師（ｓＮｓ）などの担当者が血液検査などの検査をしつつ、その間に、患者が待ち時間を利用して患者自身が健康状態（必要な項目）を、例えば、携帯機器６４に入力し、その内容がサーバ３に送られ、所定の値に基づいて、選択部３４が自動的にＡ、Ｂ、Ｃのランクの仮判定を行う（ステップＳ２０１）。このとき、紙媒体ではなく電子カルテなどのデータに入力するのであって、その項目は、図６および図７で後述する。また、この仮判定の結果は、無線ネットワークルーター５を介して、サーバ３に送られる。そして、選択部３４による仮判定の結果、ＡまたはＢランクに分類された患者のみが医師の判断を受けることとなる。Ｃランクに分類された患者は、帰宅となる（ステップＳ２０３）。
【００２１】
次に、医師は、ＡまたはＢランクに仮分類された患者を問診などで判断し、ランクを確定させ（ステップＳ２０２）、携帯機器６３に確定の入力を行う。このとき、ｓＮｓまたは患者自身が予め患者の状態などを携帯機器６４で入力し、その情報がリアルタイムでサーバ３に送られているため、医師は、サーバ３から該当する情報を自身の携帯機器６３に受け、その情報を基に判断することができる。そして、医師によりＡランクに確定された患者は、化学療法が開始される（ステップＳ２０５）。一方、再びランクＢに分類された患者は、再検査が行われ、ＡランクまたはＣランクに分類される（ステップＳ２０４）。
【００２２】
なお、本実施形態では、サーバ３で自動的に仮判定を行っているが、例えば、ｓＮｓがＳＧＡ予測に基づく仮判定を行ってもよい。また、例えば、携帯機器に備えられたカメラなどで患者を撮影し、撮影した画像の判定により健康状態など患者の状態を把握し、そのデータがサーバ３に送られ、所定の値に基づいて、選択部３４が自動的にランクを仮判定するようにしてもよい。この場合、より正確に仮判定を行うことができる。さらに、カメラだけでなく、例えば、接触センサや非接触センサ、温度センサなどを用いて患者の皮膚の状態など患者の状態をより正確に把握して、サーバ３に保存された過去の患者に関する情報と比較する。この比較の結果からランクを仮判定してもよい。なお、仮判定については、所定の値に基づいて行われてもよく、例えば、過去のｓＮｓの主観に基づく仮判定の結果と医師の判定とのデータの蓄積から判定基準を設け、この判定基準に基づいて行われてもよい。
【００２３】
すなわち、本実施形態では、患者自身またはｓＮｓによる入力操作に応じて仮判定を行っているが、例えば、上記のカメラや各種センサ、音声認識などにより自動で患者の状態（情報）を取得し、取得した情報に基づいて選択部３４が仮判定を行ってもよい。この場合、患者自身やｓＮｓによる入力操作に要する時間を短縮することができる。また、入力操作に伴う入力ミスなどを低減することができる。さらに、各種センサなどとサーバ３とが直接データのやり取りを行うことで、人為的な介在がないため、セキュリティを高度保ちつつ、より詳細なデータを蓄積することができる。
【００２４】
このように、本実施形態では、患者が来院してから、医師の診断を行うまでの待ち時間の間に、Ａ、Ｂ、Ｃのランクの仮判定を行うことにより、患者の待ち時間が短縮される。さらに、予め患者自身またはｓＮｓにより患者の状態などが入力されており、その情報を基に仮判定していることから、医師の負担も軽減され、患者一人に掛ける時間を増やすことができる。
【００２５】
次に、図４を参照して、本実施形態に係るステップＳ２０４の再検査における判断のフローについて説明する。まず、医師は、対象の患者の情報をサーバ３から自身の携帯機器６３に受信する。このとき、当該患者の情報に関連付けられている情報を全て入手することで、より正確な判断ができる。医師は、患者の過去の履歴４１と、ｓＮｓまたはサーバ３で行ったＳＧＡ予測４２に、来院時の血液検査などの検査結果４３を加味して、ＡまたはＣランクに分類する医師判断４４を行う。Ａランクに分類された患者は、化学療法が開始（４５）となり、Ｃランクに分類された患者は、帰宅（４６）となる。
【００２６】
次に、図５〜７を参照して、ＳＧＡ予測に基づく仮判定のフローについて詳細に説明する。まず、来院した患者（５１）は、血液検査をしつつ、患者自身またはｓＮｓが化学療法における副作用の状態および患者の全身症状の状態を、携帯機器６４を介して入力する。患者自身またはｓＮｓは、副作用の状態について、図６に示す項目７４それぞれに対して入力する。また、全身症状の状態については、図７に示す項目７５に入力する。
【００２７】
そして、入力された患者の状態に基づいて副作用のランク（Ｇｒａｄｅ）および全身症状の指標であるパフォーマンスステータス（Ｐｅｒｆｏｒｍａｎｃｅ  Ｓｔａｔｕｓ、以下ＰＳとする）に応じてＳＧＡ予測に基づくランクが仮決定される（５２）。このとき、ｓＮｓがＳＧＡ予測に基づいて仮判定を行ってもよく、入力したデータが無線ネットワークルーター５、ネットワーク２を介してサーバ３に送られ、サーバ３の選択部３４で自動的に仮判定が行われてもよい。本実施形態では、Ｇｒａｄｅが０または１であり、かつＰＳが０または１である場合（５２１）、Ａランク（Ａ群５３）に分類される。Ｇｒａｄｅが２であり、かつＰＳが２である場合（５２２）、Ｂランク（Ｂ群５４）に分類される。Ｇｒａｄｅが３以上であり、かつＰＳが３以上である場合（５２３）、Ｃランク（Ｃ群５５）に分類される。
【００２８】
上述のように、仮決定でＡまたはＢランクに分類された患者は、医師判断５６で最終的なランクが確定し、Ｃランクに分類された患者は、医師の判断なしで帰宅（５８）となる。仮判定したランクは、図６および図７のランク（Ａ群７１〜Ｃ群７３）が点滅または点灯されるようにしてもよい。このようにすることで、どのランクに判定されたかが明確になる。ｓＮｓが仮判定する場合は、ｓＮｓがランクのボタンを押下して点滅または点灯させる。選択部３４で仮判定する場合は、全ての項目７４および７５の入力後、例えば、不図示の入力完了ボタンを押下することで、サーバ３に入力したデータが送られ、自動で仮判定が行われてランク（Ａ群７１〜Ｃ群７３）が点滅または点灯する。また、ｓＮｓや患者自身の入力操作をせず、各種センサなどを用いて仮判定を行う場合は、各種センサなどから患者の状態に関する情報が直接サーバ３に送られ、自動的に仮判定を行ってもよい。
【００２９】
このＳＧＡ予測に基づく仮判定は、リアルタイムでサーバ３に送られ、医師は、携帯機器６３を介してすぐに閲覧が可能になる。また、血液検査などの当日の検査結果なども常にリアルタイムでサーバ３に送られるため、医師は、常に携帯機器６３で最新の情報を得ることができる。
【００３０】
ＳＧＡ予測に基づく仮判定の結果、ＡまたはＢランクに分類された患者に対して、医師は、図８に示す情報（治験結果８）を、携帯機器６３を介して入力する。Ｃランクに分類された患者の情報を含めて、治験が終了したら医師が全てを確認し、ランクの確定など医師が入力する。本実施形態において、治験結果８には、ランクや治験の実施日時、検査結果、次回の実施予定などの項目を入力するが、これに限定することなく、必要に応じて項目を変更、追加等してよい。そして、入力した情報は、サーバ３に送られ、リアルタイムで、管理グループ６１、専門グループ６２、Ｄｒグループ６３、ｓＮｓグループ６４の各グループの携帯機器６にてその情報を閲覧することが可能となる。このとき、各グループの携帯機器６の認証部６０５により入力が制限されているので、この情報は、改ざん（変更）される恐れがほとんどない。
【００３１】
また、医師が入力した情報を、例えば、画像データなどの改ざんが難しい（書き換え不可な）データに変換（生成）して、ネットワーク２を介してサーバ３に保存する。なお、この改ざんが難しいデータは、画像データに限定することなく、例えば、セキュリティコードが含まれるデータや強制アクセス制限やデュアルロック（複数人認証）を施したデータであってもよい。具体的には、例えば、携帯機器６としてｉＰａｄ（登録商標）を採用する場合、その写真撮影の機能を使用して医療情報を撮影したデータ等を書き換えることは難しいので、治験等の試験の公正性を保証することができる。
【００３２】
なお、本実施形態では、紙媒体を使用することなく、全ては電子カルテなどのデータを使用しないシステムである。従来、症例報告書（ＣＲＦ）を作成する際には、カルテ等から転記する際に、転記の担当者が人為的に内容を改ざん（変更）する恐れがあったが、このデータをＣＲＦとして使用することで、人為的に変更されることがない。従って、電子カルテなどのデータを改ざんされないデータとして生成し、そのデータをＣＲＦとして使用することで、例えば、製薬会社の社員など医師や看護師以外の関係者がデータを改ざんすることができなくなる。
【００３３】
また、携帯機器６を使用する際に認証部６０５にて認証することで、操作するスタッフに応じて入力や表示が制限される。これにより、治験に際して製薬会社の社員など医療スタッフ以外の関係者がデータを改ざんすることができなくなる。また、データも改ざんできない（書き換えできない）ようなデータに変換することにより、さらにセキュリティが向上し、より正確な治験結果が得られる。さらに、ネットワーク２や無線ネットワークルーター５を介してサーバ３と連携していることから、携帯機器６を用いてデータ入力などをすることで、リアルタイムで情報のやり取りが可能である。また、例えば、ＳＧＡ予測に基づく仮決定と医師の確定とが一致するか否かをデータとして取得し、そのデータを蓄積することで、より正確な仮決定が可能となる。
【００３４】
以上、本実施形態によれば、ＳＧＡ予測に基づく仮判定を行うことで、患者の化学療法開始までの待ち時間を削減し、さらに医師の負担を軽減することができる医療支援システムを提供することができる。また、ＣＲＦ作成の際、改ざんできないデータに変換することで、治験の正確性を向上させることができる。
【００３５】
（他の実施例）
本発明は、上述した実施形態を適宜組み合わせることにより構成された装置なども含まれるものとする。また、本発明は、上述した実施形態の機能を実現するソフトウェア（プログラム）を実行する装置またはシステムである。また、その装置またはシステムで実行される上述した実施形態を実現するための方法も本発明の１つである。また、当該プログラムは、ネットワークまたは各種記憶媒体を介してシステム或いは装置に供給され、そのシステムまたは装置の１以上のコンピュータ（ＣＰＵやＭＰＵ等）によりそのプログラムが読み出され、実行される。つまり、本発明の一つとして、さらにそのプログラム自体、あるいは該プログラムを格納したコンピュータにより読み取り可能な各種記憶媒体も含むものとする。また、上述した実施形態の機能を実現する回路（例えば、ＡＳＩＣ）によっても、本発明は実現可能である。
【符号の説明】
【００３６】
１      医療支援システム
３      サーバ
６      携帯機器
３１    記憶部
３３    通信部
３４    選択部
６０２  入力部
６０４  通信部
６０５  認証部
【図１】
2015170159.tif 000003
【図２】
2015170159.tif 000004
【図３】
2015170159.tif 000005
【図４】
2015170159.tif 000006
【図５】
2015170159.tif 000007
【図６】
2015170159.tif 000008
【図７】
2015170159.tif 000009
【図８】
2015170159.tif 000010